(57)【要約】【課題】役物を迅速かつ円滑に動作可能にすることができる役物装置を提供すること。【解決手段】役物装置５は、ステッピングモータ２０と、ステッピングモータ２０からの駆動力に応じて動作する揺動部材１２，１３と、ステッピングモータ２０と揺動部材１２，１３との間に設けられ、ステッピングモータ２０からの駆動力を揺動部材１２，１３に伝達する回転カム２１、カムフォロア１８及び連結機構１５とを備える。引っ張りばね１４は、回転カム２１とカムフォロア１８との間のクリアランス、及び、連結機構１５を構成する係合突起１６と凹部１７との間のクリアランスを常にゼロにするためのものである。【選択図】図８
2007037714.tif 000002
【特許請求の範囲】
【請求項１】
駆動源と、該駆動源からの駆動力に応じて動作する揺動部材と、前記駆動源と前記揺動部材との間に設けられ、前記駆動源からの駆動力を前記揺動部材に伝達する駆動力伝達機構とを備えた役物装置であって、前記駆動力伝達機構を構成する部材間のクリアランスを常にゼロにするための弾性部材を設けたことを特徴とする役物装置。
【請求項２】
所定の遊技条件が成立したとき、互いに接近、離間することにより開閉可能な複数の揺動部材を有する役物装置であって、前記各揺動部材のうち特定の揺動部材に駆動源からの駆動力を伝達する駆動力伝達機構を設けると共に、前記各揺動部材間に、前記特定の揺動部材からの駆動力を他の揺動部材に伝達する連結機構を設け、さらに、前記駆動力伝達機構及び前記連結機構を構成する部材間のクリアランスを常にゼロとするための弾性部材を設けたことを特徴とする役物装置。
【請求項３】
前記駆動力伝達機構は、前記駆動源の駆動軸に連結される回転カムと、前記特定の揺動部材に設けられ、前記回転カムに係合するカムフォロアとを有し、前記弾性部材は、前記カム面に対して前記カムフォロアを常に押圧付勢するばねにより構成されることを特徴とする請求項１又は２に記載の役物装置。
【請求項４】
前記揺動部材を下方で支持する支持部材を備え、該支持部材は、前記揺動部材を非面接触で支持することを特徴とする請求項１〜３のいずれか１つに記載の役物装置。
【請求項５】
前記支持部材の上面又は前記揺動部材の下面のいずれか一方に相手側部材と接触する突部が形成されていることを特徴とする請求項４に記載の役物装置。
【請求項６】
前記揺動部材の閉時、隣り合う揺動部材間に所定の隙間が形成されるよう前記カム面の形状が設定されていることを特徴とする請求項３に記載の役物装置。
【請求項７】
前記駆動力伝達機構又は前記連結機構を構成する各部材には、乾式の潤滑剤が塗布されていることを特徴とする請求項１〜６のいずれか１つに記載の役物装置。
【発明の詳細な説明】
【技術分野】
【０００１】
本発明は、パチンコ遊技機等遊技機における役物装置に関する。
【背景技術】
【０００２】
パチンコ遊技機などに代表される遊技機では、遊技盤に設けられた始動入賞口に遊技球が入賞すると、遊技盤中の可変表示装置に表示される図柄が変動を開始し、所定時間経過後に停止した図柄が予め定めた大当り図柄となった場合に大当り状態となり、遊技者が大量の出球を獲得できるようになっている。このような遊技機では、遊技の興趣を向上させるために様々な表示演出が行われるものがある。例えば、特許文献１には、大当りになると、図柄表示装置の表示内容に連動して役物がモータを駆動源として左右方向に移動する構成が開示されている。
【特許文献１】特開２００４−１９５０８４公報
【発明の開示】
【発明が解決しようとする課題】
【０００３】
しかし、上記特許文献に開示される遊技機によると、モータと役物との間に回転運動を直線運動に変換する機構部を設けており、この機構部を構成する各部材間にクリアランスが存在する。このため、このクリアランスにより役物を迅速かつ円滑に移動させにくく、特に、役物を小刻みに振動させる際に、役物が迅速かつ円滑に動作できないという問題がある。
【０００４】
本発明は、上記のような問題点を解決し、役物を迅速かつ円滑に動作可能にすることができる役物装置を提供することを目的とする。
【課題を解決するための手段】
【０００５】
本発明の役物装置は、駆動源と、該駆動源からの駆動力に応じて動作する揺動部材と、前記駆動源と前記揺動部材との間に設けられ、前記駆動源からの駆動力を前記揺動部材に伝達する駆動力伝達機構とを備えた役物装置であって、前記駆動力伝達機構を構成する部材間のクリアランスを常にゼロにするための弾性部材を設けたことを特徴とする。
【０００６】
本発明によると、弾性部材の付勢力により、駆動力伝達機構の構成部材間のクリアランスが常にゼロに保たれるようになるため、駆動力伝達機構は駆動源からの駆動力を遅延することなく揺動部材に伝達し得るようになり、したがって、揺動部材は駆動源からの駆動力に応答性良く追従し、迅速かつ円滑な動作を行うようになる。
【０００７】
また、本発明の役物装置は、所定の遊技条件が成立したとき、互いに接近、離間することにより開閉可能な複数の揺動部材を有する役物装置であって、前記各揺動部材のうち特定の揺動部材に駆動源からの駆動力を伝達する駆動力伝達機構を設けると共に、前記各揺動部材間に、前記特定の揺動部材からの駆動力を他の揺動部材に伝達する連結機構を設け、さらに、前記駆動力伝達機構及び前記連結機構を構成する部材間のクリアランスを常にゼロとするための弾性部材を設けたことを特徴とする。
【０００８】
本発明によると、弾性部材の付勢力により、駆動力伝達機構及び連結機構の構成部材間のクリアランスが常にゼロに保たれるようになるため、駆動力伝達機構は駆動源からの駆動力を遅延することなく特定の揺動部材に伝達し、また、連結機構は特定の揺動部材からの駆動力を遅延することなく他の揺動部材に伝達し得るようになり、したがって、複数の揺動部材は各々駆動源からの駆動力に応答性良く追従し、迅速かつ円滑な開閉動作を行うようになる。
【０００９】
ここで、前記駆動力伝達機構は、前記駆動源の駆動軸に連結される回転カムと、前記特定の揺動部材に設けられ、前記回転カムのカム面に係合するカムフォロアとを有し、前記弾性部材は、前記カム面に対して前記カムフォロアを常に押圧付勢するばねにより構成される。このように弾性部材をばねで構成することにより、低コストで構造の簡素化を図ることができる。また、カムフォロアはカム面上を摺動するため、駆動源の負荷を低減させることができる。
【００１０】
また、前記揺動部材を下方で支持する支持部材を備え、該支持部材は、前記揺動部材を非面接触で支持するよう構成すると、揺動部材の動作抵抗が小さくなり、駆動源の負荷を低減させることができる。
【００１１】
また、前記支持部材の上面又は前記揺動部材の下面のいずれか一方に相手側部材と接触する突部を形成すると、簡単な構成によって駆動源の負荷を低減させることができる。
【００１２】
また、前記揺動部材の閉時、隣り合う揺動部材間に所定の隙間が形成されるよう前記カム面の形状を設定すると、揺動部材を高速で閉じる制御を行っても揺動部材同士が衝突するのを回避することができ、衝突に起因する駆動源等への悪影響を阻止できる。また、駆動源等に対する複雑な制御を行うことなく、上記のような簡素な機械的構成によって衝突を回避することができる。
【００１３】
また、前記駆動力伝達機構又は前記連結機構を構成する各部材に乾式の潤滑剤を塗布すると、埃や塵が付きにくくなるため、駆動力伝達機構又は連結機構の円滑な開閉動作を持続させることが可能となる。
【発明を実施するための最良の形態】
【００１４】
以下、本発明の実施形態を図面に基づいて説明する。
【００１５】
図１は、本発明の一実施形態に係る役物装置が組み込まれたパチンコ遊技機の遊技盤の正面図、図２は、役物装置の非動作時の正面図、図３は、役物装置の非動作時の斜視図、図４は、役物装置の動作時の正面図、図５は、役物装置の動作時の斜視図、図６は、役物装置の分解斜視図、図７は、役物装置の背面図、図８は、第１可動役物の動作を説明するための平面図、図９は、第１可動役物の駆動系を正面側から見た斜視図、図１０は、第１可動役物の駆動系を背面側から見た斜視図、図１１は、第１可動役物の一方の揺動部材側の平面図、図１２は、第２可動役物の動作を説明するための平面図をそれぞれ示す。
【００１６】
図１〜図１２において、遊技盤１００の中央部には装飾部材２００が配設される。
【００１７】
装飾部材２００は、中央部に窓部１を有し、この窓部１をステージ部２と左壁部３と右壁部４と役物装置５とで取り囲んで構成されている。窓部１は、四角形状をしており、各種画像演出を行う図柄表示装置の図柄表示画面を前面に露出させる。
【００１８】
窓部１を挟んだ装飾部材２００の左壁部３及び右壁部４には、それぞれ遊技盤面１０１上を転動している遊技球を装飾部材２００の内側つまりステージ部２上に案内するためのステージ誘導通路部６が設けられている。ステージ部２は、本実施形態の場合、奥行き方向（前後方向）に３つからなる分割ステージ部によって構成され、奥行きが長いステージ部である。ステージ部２に案内された遊技球のうち、ステージ部２の所定の入口に入った遊技球は、始動入賞口１０２の真上に位置する出口２aから遊技盤面１０１へと出て始動入賞口１０２に入賞し易くなり、残りの遊技球はステージ部２上から落下し、多くの場合始動入賞口１０２に入賞しない。
【００１９】
役物装置５は、第１可動役物７と第２可動役物８を有する。
【００２０】
第１可動役物７は、「水戸黄門」と書かれた文字部材からなり、また、第２可動役物８は、三つ葉葵の紋所部材からなる。
【００２１】
第１可動役物７は、遊技盤１００の左右方向（幅方向）に往復移動可能であり、互いに接近、離間する左右一対の開閉部材７A、７Bからなる。左側の開閉部材７Aは「水戸」の文字部材からなり、右側の開閉部材７Bは「黄門」の文字部材からなる。第１可動役物７は、非作動時（全閉時）には、図２及び図３に示すように、一対の開閉部材７A、７Bが接近した状態となり、また、作動時（全開時）には、図４及び図５に示すように、一対の開閉部材７A、７Bが離間した状態となる。また、一対の開閉部材７A、７Bは、単に全開状態と全閉状態の２つの態様をとるのみでなく、高速かつ小刻みに開方向への移動と閉方向への移動を交互に繰り返す振動動作をとる場合もある。
【００２２】
第２可動役物８は、遊技盤１００の前後方向（厚み方向）に往復移動可能となっている。第２可動役物８は、非作動時には、図２及び図３に示すように、全閉状態の第１可動役物７の後方に位置する後退状態となり、また、作動時には、図４及び図５に示すように、全開状態の第１可動役物７の開口部よりも前方に位置する前進状態となる。
【００２３】
役物装置５は、支持部材としての半長円状のベースプレート１１を備え、このベースプレート１１の上に各種部材、部品を装着して構成されている。
【００２４】
ベースプレート１１の上面には、図６、図８〜図１１に示すような左右一対の板状の揺動部材１２，１３が後端側の各軸部１２a、１３aを中心として円弧状の軌跡を描くように左右方向に揺動可能に装着される。ベースプレート１１の先端には、少なくとも上端が薄肉に形成された突条部（突部）１１cが形成されており、両揺動部材１２，１３は、この突条部１１cにより下方から支持されている。正面視左側の揺動部材１２の先端部１２bには、「水戸」の文字部材からなる開閉部材７Aが取着され、正面視右側の揺動部材１３の先端部１３bには、「黄門」の文字部材からなる開閉部材７Bが取着される。
【００２５】
両揺動部材１２，１３の各先端部１２b、１３bは、全閉時には所定の隙間xをもって接近した状態にある（図２，６，８（A）,１０参照）。この隙間xは、全閉時においても開閉部材７A、７B同士が完全には接しないようにするためのものであり、カム面２１aの形状設定により形成される。
【００２６】
右側の揺動部材１３は、その先端部１３bの右端部１３cがベースプレート１１の先端部の右ストッパー面１１aと当接することによって開方向（右方向）への移動が規制される。また、左側の揺動部材１２は、その先端部１２bの左端部１２cがベースプレート１１の先端部の左ストッパー面１１bと当接することによって開方向（左方向）への移動が規制され、これにより第１可動役物７の全開状態が規制される。
【００２７】
右側の揺動部材１３の右端部中央部とベースプレート１１の後端部との間には、引っ張りばねからなる弾性部材１４（図８、図９参照）が掛け渡されている。引っ張りばね１４は、右側の揺動部材１３に対し常時開方向への力を加えている。
【００２８】
右側の揺動部材１３と左側の揺動部材１２は、連結機構１５によって連結されている。連結機構１５は、右側の揺動部材１３の上面の軸部１３a寄りの左端側に形成された係合突起１６と、左側の揺動部材１２の軸部１２a寄りの右側面に左右方向へ延びて形成され、係合突起１６が移動可能に収容される凹部１７とにより構成されている。係合突起１６は第１可動役物７が全閉状態と全開状態との間で変位する間、常に凹部１７に収容された状態に保たれる。上記のように、右側の揺動部材１３は引っ張りばね１４によって常時開方向へ付勢されている。このため、連結機構１５の係合突起１６は凹部１７の内壁面と常時当接した状態に保たれ、左側の揺動部材１２も開方向へ常時付勢されるようになる。
【００２９】
ベースプレート１１の上面に、下方が開口した下側ケース部材１９（図７）がねじ止めされ、下側ケース部材１９には、駆動源としてのステッピングモータ２０が固定されている。ステッピングモータ２０は、出力軸２０aが下に位置するよう縦置きとされる。ステッピングモータ２０の出力軸（駆動軸）２０aには回転カム２１が固着されており、この回転カム２１のカム面２１a（図８）に、左側の揺動部材１２の上面に突設されたカムフォロア１８が当接している。カム面２１aは、上述したような左側の揺動部材１２に加わっている開方向への付勢力により軸部１２aを中心として回動しようとするカムフォロア１８を受け止め、その移動を阻止するストッパーとしての作用を発揮する。換言すると、回転カム２１及びカムフォロア１８は、揺動部材１２，１３の開方向への移動を阻止する規制機構としての作用を発揮する。また、回転カム２１及びカムフォロア１８は、ステッピングモータ２０の駆動力を左側の揺動部材１２に伝達する駆動力伝達機構としての作用を発揮する。
【００３０】
カム面２１aは、揺動部材１２，１３（第１可動役物７）を全閉状態に規制するために回転カム２１の回転中心２１bから最も遠くなる位置P1（図８（A）参照）と、揺動部材１２，１３（第１可動役物７）を全開可能にするために回転カム２１の回転中心２１bから最も近くなる位置P2（図８（B）参照）とを有し、両位置P1、P2の間は、回転カム２１の回転中心２１bから距離が徐々に変化する位置となるようにカム面２１aが形成されている。
【００３１】
下側ケース部材１９の上面には、下方が開口した上側ケース部材２２（図６、図７）がねじ止めされる。上側ケース部材２２の上面の前端部には、左右方向に間隔を置いて垂直に形成された一対のガイドリブ２３，２４が設けられている。また、第２可動役物１０の後面には、ガイド部材２５が設けられている。ガイド部材２５は、上下方向に貫通した左右一対のガイド孔部２６，２７が前後方向に延びて形成されている。各ガイド孔部２６，２７には、各ガイドリブ２３，２４が挿通されており、各ガイド孔部２６，２７が各ガイドリブ２３，２４と係合しながら前後方向へ移動することで第２可動役物８は前後方向に円滑に移動することができる。
【００３２】
ガイド部材２５において、一対のガイド孔部２６，２７の中間に位置する箇所には、上下方向に貫通した長孔部２８が左右方向に延びて形成されている。また、上側ケース部材２２の上面には、上側ケース部材２２に固定された軸部２９aを中心として水平方向に揺動可能な直線状のレバー部材２９が設けられている。レバー部材２９の先端部には、下方へ延びた駆動ピン３０が形成されており、この駆動ピン３０は、上記長孔部２８に挿入されている。
【００３３】
上側ケース部材２２の下面には、ステッピングモータ３１がねじ止めされている。ステッピングモータ３１は、出力軸３１aが上となる縦置きとされている。ステッピングモータ３１の出力軸３１aには、回転板３２が固着されており、この回転板３２の上面に連結ピン３３が偏心して形成されている。また、レバー部材２９の基端部には、上下方向に貫通し、かつレバー部材２９の長手方向に延びる長孔部３４が形成されている。この長孔部３４に連結ピン３３が挿通されている。
【００３４】
第２可動役物８が後退位置にあるとき（図１２（A）参照）、連結ピン３３は前端に位置し、レバー部材２９の駆動ピン３０は後端に位置するため、ガイド部材２５は後端に位置し、第２可動役物８は後退位置に保たれる。この状態からステッピングモータ３１が回転すると、連結ピン３３が長孔部３４の内壁面を後方へ押圧し、レバー部材２９が軸部２９aを中心として平面視反時計方向へ回動し、駆動ピン３０が長孔部２８の内壁面を前方へ押圧するようになり、これにより、第２可動役物８は前進する。
【００３５】
第２可動役物８が前進位置に達した（図１２（B）参照）後、さらにステッピングモータ３１が同一方向へ回転すると、連結ピン３３が長孔部３４の内壁面を今度は前方へ押圧し、レバー部材２９が軸部２９aを中心として平面視時計方向へ回動し、駆動ピン３０が長孔部２８の内壁面を後方へ押圧するようになり、これにより、第２可動役物８は後退する。
【００３６】
次に、上記のように構成された役物装置５の動作例を説明する。
【００３７】
通常時は、第１可動役物７は図２、図３及び図８（A）に示すような全閉状態にあり、かつ、第２可動役物８は図２、図３及び図１２（A）に示すように第１可動役物７の後方の後退位置にある。この第１可動役物７の全閉時には、左側の揺動部材１２のカムフォロア１８は、回転カム２１の回転中心２１bから最も遠い位置P1でカム面２１aと常時当接しており、一対の揺動部材１２，１３は、開方向への移動が規制されている。この全閉時、連結機構１５の係合突起１６は、右側の揺動部材１３が引っ張りばね１４によって常時開方向へ付勢されているため、凹部１７の内壁面と当接した状態に保たれる。
【００３８】
そして、所定の遊技状態が発生する、例えば図柄変動が開始すると、第１可動役物７は数秒間、高速かつ小刻みに開閉を繰り返す振動動作を開始する。この振動動作は、ステッピングモータ２０が正転と逆転を繰り返すことによって左側の揺動部材１２のカムフォロア１８がカム面２１a上を摺動することによって行われる。ちなみに、図８（A）に矢印Sで示される範囲において、カムフォロア１８がカム面２１a上を摺動することにより振動動作する。Sの範囲においては、カム面２１aの曲率が大きく変化しているため、僅かなカム２１の回動量でもって振動動作が可能になっている。この振動動作時においても、連結機構１５の係合突起１６は、右側の揺動部材１３が引っ張りばね１４によって常時開方向へ付勢されているため、凹部１７の内壁面と常時当接した状態に保たれ、連結機構１５は、クリアランスなしに連結状態に保たれる。したがって、ステッピングモータ２０の回転角度が変化したときに両揺動部材１２，１３は応答性、追従性に優れた動作を行うことができる。なお、この振動開始時に、「ドン」という効果音が鳴り、その後は、「ゴゴゴ‥‥」という効果音が鳴る。
【００３９】
その後、他の所定の遊技状態が発生する、例えばリーチ演出が確定すると、第１可動役物７は全開する。この全開動作は、ステッピングモータ２０の回転により、カムフォロア１８が、カム面２１aに沿って回転カム２１の回転中心２１bから最も遠い位置P1から最も近い位置P2に移動する。
【００４０】
これにより、第１可動役物７の開閉部材７A、７Bが離間され、第２可動役物８の前方は開放される。その後、後退位置にあった第２可動役物８が前進位置まで前進する。この前進動作は、ステッピングモータ３１の回転により、レバー部材２９が平面視反時計方向へ回動することによって行われる。
【００４１】
以上説明したように、本実施形態に係る役物装置５は、駆動源（ステッピングモータ２０）と、駆動源２０からの駆動力に応じて動作する揺動部材１２，１３と、駆動源２０と揺動部材１２，１３との間に設けられ、駆動源２０からの駆動力を揺動部材１２，１３に伝達する駆動力伝達機構（回転カム２１、カムフォロア１８、連結機構１５）とを備えた役物装置であって、駆動力伝達機構２１，１８，１５を構成する部材間のクリアランスを常にゼロにするための弾性部材（引っ張りばね１４）を設けて構成される。
【００４２】
本実施形態によると、弾性部材１４の付勢力により、駆動力伝達機構２１，１８，１５の構成部材間のクリアランスが常にゼロに保たれるようになるため、駆動力伝達機構２１，１８，１５は駆動源２０からの駆動力を遅延することなく揺動部材１２，１３に伝達し得るようになり、したがって、揺動部材１２，１３は駆動源２０からの駆動力に応答性良く追従し、迅速かつ円滑な動作を行うようになる。
【００４３】
また、本実施形態の役物装置５は、所定の遊技条件が成立したとき、互いに接近、離間することにより開閉可能な複数の揺動部材１２，１３を有する役物装置であって、各揺動部材１２，１３のうち特定の揺動部材（左側の揺動部材１２）に駆動源２０からの駆動力を伝達する駆動力伝達機構（回転カム２１及びカムフォロア１８）を設けると共に、各揺動部材１２，１３間に、特定の揺動部材１２からの駆動力を他の揺動部材（右側の揺動部材１３）に伝達する連結機構１５を設け、さらに、駆動力伝達機構２１，１８及び連結機構１５を構成する部材間のクリアランスを常にゼロとするための弾性部材（引っ張りばね１４）を設けて構成される。
【００４４】
本実施形態によると、弾性部材１４の付勢力により、駆動力伝達機構２１，１８及び連結機構１５の構成部材間のクリアランスが常にゼロに保たれるようになるため、駆動力伝達機構２１，１８は駆動源２０からの駆動力を遅延することなく特定の揺動部材１２に伝達し、また、連結機構１５は特定の揺動部材１２からの駆動力を遅延することなく他の揺動部材１３に伝達し得るようになり、したがって、複数の揺動部材１２，１３は各々駆動源２０からの駆動力に応答性良く追従し、迅速かつ円滑な開閉動作を行うようになる。
【００４５】
また、駆動力伝達機構は、駆動源２０の駆動軸２０aに連結される回転カム２１と、特定の揺動部材１２に設けられ、回転カム２１のカム面２１aに係合するカムフォロア１８とを有し、弾性部材は、カム面２１aに対してカムフォロア１８を常に押圧付勢するばね１４により構成される。このように弾性部材をばね１４で構成することにより、低コストで構造の簡素化を図ることができる。また、カムフォロア１８はカム面２１a上を摺動するため、駆動源２０の負荷を低減させることができる。
【００４６】
また、揺動部材１２，１３を下方で支持する支持部材（ベースプレート１１）を備え、支持部材１１は、揺動部材１２，１３を非面接触で支持する。このため、揺動部材１２，１３の動作抵抗が小さくなり、駆動源２０の負荷を低減させることができる。
【００４７】
また、支持部材１１の上面に揺動部材１２，１３と接触する突部（突条部１１c）を形成している。このため、簡単な構成によって駆動源２０の負荷を低減させることができる。なお、突部は、突条部１１cのように連続した突形状に限定されず、断続的な突形状により構成してもよく、また、支持部材１１側に設けず、揺動部材１２，１３側に設けるようにしてもよい。
【００４８】
また、揺動部材１２，１３の閉時（全閉時）、隣り合う揺動部材１２，１３間に所定の隙間xが形成される。換言すると、揺動部材１２，１３の閉時、揺動部材１２，１３間に所定の隙間xが形成されるようカム面２１aの形状が設定されている。このため、揺動部材１２，１３を高速で閉じる制御を行っても揺動部材１２，１３同士が衝突するのを回避することができ、衝突に起因する駆動源２０等への悪影響を阻止できる。また、駆動源２０等に対する複雑な制御を行うことなく、上記のような簡素な機械的構成によって衝突を回避することができる。
【００４９】
なお、本実施形態の役物装置５を構成する各部品、部材、特に可動部には、乾式の潤滑剤（株式会社ハーべスの商品名ドライサーフ）が塗布されている。具体的には、連結機構１５を構成する係合突起１６と凹部１７、また、カム面２１aとカムフォロア１８、さらに、揺動部材１２と揺動部材１３との接触面などに潤滑剤が塗布されている。このため、埃や塵が付きにくくなり、各部材の円滑な動作を持続させることが可能となる。なお、ドライサーフは、被処理物に塗布すると、瞬時に薄く均一なフッ素コーティング膜を形成する速乾性の潤滑剤であり、摩耗軽減、消音等の効果が有る。
【００５０】
また、ステッピングモータ２０，３１の代わりにDCモータ、電磁ソレノイド等を用いてもよい。また、引っ張りばね１４の代わりに圧縮ばねを、図８（A）に二点鎖線で示すように揺動部材１３の左右反対側に設けるようにしてもよい。さらに、役物装置５の基本的構成の変形例として、通常時は第２可動役物８を第１可動役物７の前方に配置させ、演出時には第１可動役物７を開放してから第２可動役物８を後退させ、その後第１可動役物７を閉じる構成を採用するようにしてもよい。
【図面の簡単な説明】
【００５１】
【図１】本発明の一実施形態に係る役物装置が組み込まれたパチンコ遊技機の遊技盤の正面図である。
【図２】役物装置の非動作時の正面図である。
【図３】役物装置の非動作時の斜視図である。
【図４】役物装置の動作時の正面図である。
【図５】役物装置の動作時の斜視図である。
【図６】役物装置の分解斜視図である。
【図７】役物装置の背面図である。
【図８】第１可動役物の動作を説明するための平面図である。
【図９】第１可動役物の駆動系を正面側から見た斜視図である。
【図１０】第１可動役物の駆動系を背面側から見た斜視図である。
【図１１】第１可動役物の一方の揺動部材側の平面図である。
【図１２】第２可動役物の動作を説明するための平面図である。
【符号の説明】
【００５２】
５      役物装置
１１    ベースプレート（支持部材）
１１c   突条部（突部）
１２    特定の揺動部材
１３    他の揺動部材
１４    引っ張りばね（弾性部材）
１５    連結機構（駆動力伝達機構）
１８    カムフォロア（駆動力伝達機構）
２０    ステッピングモータ（駆動源）
２１    回転カム（駆動力伝達機構）
２１a   カム面
x       隙間
【図１】
2007037714.tif 000003
【図２】
2007037714.tif 000004
【図３】
2007037714.tif 000005
【図４】
2007037714.tif 000006
【図５】
2007037714.tif 000007
【図６】
2007037714.tif 000008
【図７】
2007037714.tif 000009
【図８】
2007037714.tif 000010
【図９】
2007037714.tif 000011
【図１０】
2007037714.tif 000012
【図１１】
2007037714.tif 000013
【図１２】
2007037714.tif 000014